(57)【要約】      （修正有）【課題】多くの量の広告に関する情報を所有者に表示することができる団扇を提供する。【解決手段】団扇１は、周縁部の一部が連結部１３により連結され、連結部１３を介して互いに開閉可能に形成された第１の扇部１１と第２の扇部１２からなる扇部本体１０を備えている。本団扇１における扇部本体１０は、閉じた状態における第１の扇部１１の外側表面と、第２の扇部１２の外側表面とに広告に関する情報が掲載されているとともに、開いた状態における第１の扇部１１の内側表面と、第２の扇部１２の内側表面とに広告に関する情報が掲載されている。これによれば、１つの団扇として広告に関する情報を掲載する面が多くなるため、多くの量の広告に関する情報を所有者に表示することができる。【選択図】図１
0003182387.tif 000002
【実用新案登録請求の範囲】
【請求項１】
周縁部の一部が互いに連結され、該連結部を介して互いに開閉可能に形成された第１の扇部と第２の扇部からなる扇部本体を備え、
該扇部本体は、閉じた状態における第１の扇部の外側表面と第２の扇部の外側表面とに広告に関する情報が掲載されているとともに、開いた状態における第１の扇部の内側表面と第２の扇部の内側表面に広告に関する情報が掲載されていることを特徴とする団扇。
【請求項２】
前記扇部本体は、前記第１の扇部および／または第２の扇部の表面に凸状の線条部が型押成型により形成されている請求項１に記載の団扇。
【請求項３】
前記扇部本体は、前記線条部が前記第１の扇部と第２の扇部の連結部の反対側の周縁部から連結部の方向に向かって放射状に形成されている請求項２に記載の団扇。
【請求項４】
前記扇部本体は、紙素材からなる請求項１ないし請求項３のいずれかに記載の団扇。
【考案の詳細な説明】
【技術分野】
【０００１】
本考案は、会社名、商品、サービス等の広告に関する情報の媒体として用いられる団扇に関するものである。
【背景技術】
【０００２】
従来より、広告に関する情報は、テレビ、ラジオ、新聞、雑誌、インターネットのウェブサイト、屋外看板等の種々が広告媒体とされているが、また街頭や各種のイベント会場等で配布される団扇も広告媒体の一つとして用いられてきた。
【０００３】
一般的な団扇は扁平状の扇部を備えており、広告媒体として用いられるに際しては、この団扇の扇部における表面と裏面に所有者が認識し得る程度の大きさの文字、記号、図形等を用いて広告に関する情報が掲載される場合が多かった。
【先行技術文献】
【特許文献】
【０００４】
【特許文献１】特開２０１０−１４８５９５号
【特許文献２】実開平６−２１４１８号
【考案の概要】
【考案が解決しようとする課題】
【０００５】
しかしながら、従来のように一般的な団扇を広告媒体として用いる場合、広告に関する情報の掲載領域が扇部の表面と裏面の２面のみであったため、この２面以上の量の広告に関する情報を所有者に表示することができないものであった。一方で、団扇を用いて多くの広告に関する情報を所有者に表示したいという要請が以前よりあったことから、２面以上の量の広告に関する情報を所有者に表示することができないことが問題として指摘されることがあった。
【０００６】
これに対し、扇部の面積を一般的な団扇の扇部より広くして広告に関する情報の掲載領域を大きくすることにより、広告に関する情報の量を増やすことも考えられるが、これでは所有者にとって団扇が使い難いものとなってしまう。このことより、団扇としての魅力が低くなるため、団扇そのものを受け取ってもらえなくなる可能性が生じ、結果として広告に関連する情報を所有者に見てもらう機会さえ失くしかねない。
【０００７】
また、一般的な広さの面積で形成された扇部の表面と裏面に対して、文字等を小さく表示して広告に関する情報の量を増やすことも考えられるが、これでは広告に関する情報が見難いものとなり、広告に関連する情報が所有者に認識され難くなってしまうため、広告としての機能を発揮しない虞がある。
【０００８】
本考案は、上述の問題に鑑みてなされたものであり、多くの量の広告に関する情報を所有者に表示することができる団扇を提供することを目的とする。
【課題を解決するための手段】
【０００９】
本考案は、上記目的を達成するために、周縁部の一部が互いに連結され、該連結部を介して互いに開閉可能に形成された第１の扇部と第２の扇部からなる扇部本体を備え、該扇部本体は、閉じた状態における第１の扇部の外側表面と第２の扇部の外側表面とに広告に関する情報が掲載されているとともに、開いた状態における第１の扇部の内側表面と第２の扇部の内側表面に広告に関する情報が掲載されていることを特徴とする。
【００１０】
これによれば、扇部本体が、閉じた状態における第１の扇部の外側表面と、第２の扇部の外側表面とに広告に関する情報が掲載されているとともに、開いた状態における第１の扇部の内側表面と、第２の扇部の内側表面に広告に関する情報が掲載されていることより、１つの団扇として広告に関する情報を掲載する面が多くなるため、多くの量の広告に関する情報を所有者に表示することができる。
【００１１】
また、扇部本体は、第１の扇部および／または第２の扇部の表面に凸状の線条部が型押成型により形成されているのが好ましい。これによれば、線条部が形成された方向についての第１の扇部および／または第２の扇部における剛性が高まるため、扇部本体が撓み難くなり、風を効率的に生じさせることができる。
【００１２】
また、扇部本体は、線条部が前記第１の扇部と第２の扇部の連結部の反対側の周縁部から連結部の方向に向かって放射状に形成されているのが好ましい。これによれば、団扇を扇ぐ方向に沿って第１の扇部および／または第２の扇部における剛性が高まるため、扇いだ際の風を効率的に生じさせることができる。
【００１３】
また、扇部本体は、紙素材からなるのが好ましい。これによれば、紙素材であることよりコストを抑えることができ、また軽量であるため持ち運び等取り扱いが容易になる。
【考案の効果】
【００１４】
本考案によれば、扇部本体が、閉じた状態における第１の扇部の外側表面と第２の扇部の外側表面とに広告に関する情報が掲載されているとともに、第１の扇部の内側表面と第２の扇部の内側表面に広告に関する情報が掲載されていることより、１つの団扇として広告に関する情報を掲載する面が多いため、多くの量の広告に関する情報を所有者に表示することができる。
【図面の簡単な説明】
【００１５】
【図１】本実施形態に係る団扇を示す斜視図である。
【図２】図１の団扇を示す（ａ）正面図と（ｂ）背面図である。
【図３】図１の団扇を示す側面図である。
【図４】図１の団扇を開いた状態の内側を示す正面図である。
【図５】図２（ａ）中に示すＶ−Ｖ線断面矢視図である。
【考案を実施するための形態】
【００１６】
次に、本考案に係る団扇の一実施形態について図１〜図５を参照しつつ説明する。
【００１７】
本実施形態に係る団扇１は、図１および図２に示すように、扁平形状の第１の扇部１１および第２の扇部１２と、第１の扇部１１の周縁部の一部および第２の扇部１１の周縁部の一部を連結する連結部１３と有する扇部本体１０を備える。
【００１８】
具体的に、この扇部本体１０は、所定の剛性を有する厚紙を２つ折りに折り畳むことにより形成されるものである。したがって、第１の扇部１１、第２の扇部１２および連結部１３は紙素材からなるものであり、厚紙が折り畳まれるに際して形成される折目部分が扇部本体１０における連結部１３を構成している。そして、この連結部１３が上端部において配置されていることより、図１および図３の破線で示すように、扇部本体１０は、連結部１３を介して第１の扇部１１および第２の扇部１２が互いに開閉可能に形成されている。
【００１９】
この扇部本体１０において、第１の扇部１１および第２の扇部１２は本団扇１における扇面となされており、図４に示すように、扇部本体１０が開いた状態では連結部１３を軸として線対称で形成されている。このため、図２に示すように、扇部本体１０が閉じた状態となされ、第１の扇部１１が正面側に配置されるとともに、第２の扇部１２が背面側に配置されると、第１の扇部１１および第２の扇部１２の周縁部が互いに一致することとなる。このため、閉じた状態における扇部本体１０の意匠性がよくなり、所有者にとって本団扇１を仰ぎ易いものとすることができる。
【００２０】
また、この扇部本体１０は、図４に示すように、連結部１３に沿ってミシン目１３ａが形成されており、このことによって連結部１３を介して第１の扇部１１と第２の扇部１２を互いに開閉可能に簡単かつ確実に折り畳むことができる。
【００２１】
また、扇部本体１０は、図１および図２に示すように、第１の扇部１１と第２の扇部１２の連結部１３と反対側の周縁部における中央部において、下方側に突出する態様で把持部１４が設けられている。この把持部１２によって、所有者は該把持部１２を把持しながら本団扇１を仰ぐことができる。
【００２２】
また、この扇部本体１０は、図１〜図３に示すように、第１扇部１１および第２扇部１２の表面に凸状の線条部１５が型押成型により複数形成されている。具体的には、線条部１５は、図５に示すように、扇部本体１０が閉じた状態での断面において、第１扇部１１および第２扇部１２の表面が内側から外側に突起しており、この突起が第１扇部１１および第２扇部１２の表面において各々連続する態様で延在している。これにより、線条部１５が形成された方向についての第１の扇部１１および第２の扇部１２における剛性が高まるため、風を効率的に生じさせることができる。
【００２３】
しかも、本実施形態における扇部本体１０は、図２に示すように、線条部１５が第１の扇部１１と第２の扇部１２の連結部１３の反対側の周縁部から連結部１３の方向に向かって放射状に形成されている。具体的には、把持部１４が設けられた位置を始点として連結部１３の方向に向かって各線条部１５が次第に離間しながら延びている。このため、団扇の扇ぐ方向に沿って第１の扇部１１および第２の扇部１２における剛性が高まるため、本団扇１を扇いだ際の風を効率的に生じさせることができる。
【００２４】
而して、本団扇１が備える扇部本体１０は、閉じた状態における第１の扇部１１の外側表面Ａ１に広告に関する情報（図２（ａ）参照）、第２の扇部１２の外側表面Ｂ１に広告に関する情報（図２（ｂ）参照）が掲載されているとともに、開いた状態における第１の扇部１１の内側表面Ａ２に広告に関する情報（図４の連結部１３の上側部分参照）、第２の扇部１２の内側表面Ｂ２に広告に関する情報（図４の連結部１３の下側部分参照）が掲載されている。
【００２５】
本団扇１では、扇部本体１０が閉じた状態での第１の扇部１１の外側表面Ａ１および第２の扇部１２の外側表面Ｂ１は、一般的な団扇において広告に関する情報を掲載する扇部の表面と裏面の２面に相当するものであり、これらの表面Ａ１，Ｂ１に対して掲載される広告に関する情報は従来の一般的な団扇に掲載される広告に関する情報の量とほぼ同等である。そして、さらに本団扇１では、第１の扇部１１の内側表面Ａ２および第２の扇部１２の内側表面Ｂ２にも広告に関する情報がさらに掲載されている。このため１つの団扇として広告に関する情報を掲載する面が、従来の一般的な団扇よりも２面分だけ多いため、該表面Ａ２，Ｂ２に掲載された広告に関する情報だけ多くの量の広告に関する情報を所有者に表示することができる。
【００２６】
また、扇部本体１０が紙素材であることよりコストを抑えることができ、また軽量であるため持ち運び等の取り扱いが容易になる。
【００２７】
なお、本実施形態では、扇部本体１０が閉じた状態で第１扇部１１および第２扇部１２が一致するものである場合について説明したが、第１扇部１１および第２扇部１２が一致するものでなくてもよい。
【００２８】
また、線条部１５が第１の扇部１１と第２の扇部１２の連結部１３の反対側の周縁部から連結部１３の方向に向かって放射状に形成されている場合について説明したが、連結部１３の反対側の周縁部から連結部１３の方向に向かって放射状に形成されていなくてもよい。
【００２９】
また、線条部１５が型押成形により形成されている場合について説明したが、その他の成形方法により形成されていてもよい。
【００３０】
また、線条部１５が形成されている場合について説明したが、形成されていなくてもよい。
【００３１】
また、連結部１３に沿ってミシン目１３ａが形成されている場合について説明したが、ミシン目１３ａが形成されていなくてもよい。
【００３２】
また、扇部本体１０が紙素材からなる場合について説明したが、その他の素材からなっているものであってもよい。
【００３３】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００３４】
１…団扇
１０…扇部本体
１１…第１の扇部
１２…第２の扇部
１３…連結部
１３ａ…ミシン目
１４…把持部
１５…線条部
Ａ１…第１の扇部の外側表面
Ａ２…第１の扇部の内側表面
Ｂ１…第２の扇部の外側表面
Ｂ２…第２の扇部の内側表面
【図１】
0003182387.tif 000003
【図２】
0003182387.tif 000004
【図３】
0003182387.tif 000005
【図４】
0003182387.tif 000006
【図５】
0003182387.tif 000007